(57)【要約】  表示領域及び非表示領域を有する表示パネルと、表示パネルに設けた複数の信号線と、非表示領域及び表示パネルの外側に引き回され、信号線に接続されるべき予備配線（４０）と、表示パネルに設けた複数の接続端子と、第１の接続端子（２１）にその入力側が接続され、予備配線（４０）にその出力側が接続されるべき、表示パネルの外側に位置する増幅器（７）とを備え、予備配線（４０）は、分断された第１予備配線部（４１１、４２１）及び第２予備配線部を有し、第１予備配線部（４１１、４２１）の一端側に接続され、他の信号線に接続されるべき接続部（４）と、増幅器（７）の出力側に接続されており、表示パネルの外側から非表示領域に引き回され、第２の接続端子（２２）に接続された第１接続線（６１）と、第４の接続端子（２４）と第２の接続端子（２２）又は第３の接続端子（２３）を接続すべき第２接続線（６２）とを備えることを特徴とする表示装置。
2016103370.tif 000002
【特許請求の範囲】
【請求項１】
表示領域及び該表示領域の周囲に位置する非表示領域を有する表示パネルと、該表示パネルに設けられており、映像信号を伝達する複数の信号線と、前記表示パネルの非表示領域及び前記表示パネルの外側に引き回されており、前記信号線に接続されるべき予備配線と、前記表示パネルに設けられた複数の接続端子と、第１の接続端子にその入力側が接続されており、前記予備配線にその出力側が接続されるべき、前記表示パネルの外側に位置する増幅器とを備え、前記第１の接続端子を介して一の信号線から前記増幅器に信号を入力すべき表示装置であって、  前記予備配線は、分断された第１予備配線部及び第２予備配線部を有し、  前記第１予備配線部の一端側に接続されており、他の信号線に接続されるべき接続部と、  前記増幅器の出力側に接続されており、前記表示パネルの外側から前記表示パネルの非表示領域に引き回され、第２の接続端子に接続された第１接続線と  を備え、  前記第１予備配線部の他端側は前記表示パネルの外側から前記表示パネルの非表示領域に引き回され、第３の接続端子に接続されており、  前記第２予備配線部は前記表示パネルの外側から前記表示パネルの非表示領域に引き回され、第４の接続端子に接続されており、  前記第４の接続端子と、前記第２の接続端子又は第３の接続端子とを接続すべき第２接続線を備えること  を特徴とする表示装置。
【請求項２】
前記第２接続線と、前記第１接続線、第１予備配線部及び第２予備配線部とは絶縁膜を介して交差していること  を特徴とする請求項１に記載の表示装置。
【請求項３】
前記第２接続線と、前記第１接続線又は第１予備配線部との接続箇所を識別する標識を備えること  を特徴とする請求項２に記載の表示装置。
【請求項４】
前記第２の接続端子及び第４の接続端子は接続されており、  前記第２接続線と、前記第１予備配線部及び第２予備配線部とは絶縁膜を介して交差していること  を特徴とする請求項１に記載の表示装置。
【請求項５】
請求項１から４のいずれか一つに記載の表示装置の製造方法であって、  前記複数の信号線夫々の切断の有無を検査する工程と、  該工程にて前記信号線の切断が検出された場合に、前記第２接続線と、前記第２の接続端子及び第４の接続端子又は第３の接続端子及び第４の接続端子とを接続させる工程と  を備えることを特徴とする表示装置の製造方法。
【請求項６】
表示領域及び該表示領域の周囲に位置する非表示領域を有する表示パネルと、該表示パネルに設けられており、映像信号を伝達する信号線と、前記表示パネルの外側及び前記表示パネルの非表示領域に引き回されており、前記信号線に接続されるべき予備配線と、前記表示パネルの非表示領域に設けられた複数の接続端子と、第１の接続端子にその入力側が接続されており、前記予備配線にその出力側が接続されるべき、前記表示パネルの外側に位置する増幅器とを備え、第１の接続端子を介して前記信号線から前記増幅器に信号を入力すべき表示装置であって、  前記増幅器の出力側に接続されており、前記表示パネルの外側から前記表示パネルの非表示領域に引き回され、第２の接続端子に接続された第１接続線と、  第３の接続端子に接続されるべき第２接続線と  を備え、  前記予備配線は第３の接続端子に接続されていること  を特徴とする表示装置。
【請求項７】
前記表示パネルの外側に引き回されている第２予備配線を備え、  該第２予備配線は第４の接続端子に接続してあり、  前記第２接続線は第３の接続端子及び第４の接続端子に接続されるべき線であること  を特徴とする請求項６に記載の表示装置。
【請求項８】
請求項７に記載の表示装置の製造方法であって、  前記複数の信号線夫々の切断の有無を検査する工程と、  該工程にて前記信号線の切断が検出された場合に、前記第２接続線と、前記第２の接続端子及び第３の接続端子、又は第２の接続端子及び第４の接続端子とを接続させる工程と  を備えることを特徴とする表示装置の製造方法。
【発明の詳細な説明】
【技術分野】
【０００１】  本発明は映像を表示する表示装置及び表示装置の製造方法に関する。
【背景技術】
【０００２】  薄型の表示装置、例えば液晶表示装置は、設置面積に比べて表示面積が大きいことから一般に広く普及している。例えばアクティブマトリクス型の液晶表示装置では、複数のデータ信号線及び走査信号線がマトリクス状に配される。【０００３】  両者の交点近傍に薄膜トランジスタと、該薄膜トランジスタにつながる画素電極とが設けられる。走査信号線によって薄膜トランジスタがＯＮ／ＯＦＦ制御され、データ信号線から各画素電極に信号電位が与えられて、液晶の配向状態が変化し、情報が表示される。【０００４】  近年では、表示品位のさらなる向上が求められており、データ信号線の線幅は１０μｍ以下（たとえば、６μｍ）と非常に細くなっている。このため、製造工程で断線が発生しやすい。例えば、成膜時に塵埃を巻き込んだ場合や、エッチングの際にレジストマスクにピンホールが生じた場合に断線が生じる。【０００５】  データ信号線に断線が生じた場合、その断線箇所以降の画素電極には正しい信号電位を書き込むことができなくなる。その結果、画面上に黒線（ノーマリーブラックモード）や輝線（ノーマリーホワイトモード）が現れる。【０００６】  このような断線を修正する為に、例えばデータ信号線の信号入力側端部近傍からパネル外部基板等を通って該データ信号線の反対側の端部近傍（表示領域の下側）に至る予備配線を設ける。断線したデータ信号線における断線箇所以降の部分の端部（終端部）と、予備配線とをレーザ等を用いてメルト接続することによって、断線箇所以降の部分に信号が入力される。
【先行技術文献】
【特許文献】
【０００７】
【特許文献１】特開２００４−４４９２号公報
【発明の概要】
【発明が解決しようとする課題】
【０００８】  データ信号線及び予備配線における抵抗値が大きい場合、予備配線を介して入力された信号出力に大きな損失が生じるおそれがある。従って、データ信号線及び予備配線における抵抗値は小さいことが望ましい。【０００９】  本発明は斯かる事情に鑑みてなされたものであり、データ信号線及び予備配線における抵抗値を削減することができる表示装置及び表示装置の製造方法を提供することを目的とする。
【課題を解決するための手段】
【００１０】  本発明に係る表示装置は、表示領域及び該表示領域の周囲に位置する非表示領域を有する表示パネルと、該表示パネルに設けられており、映像信号を伝達する複数の信号線と、前記表示パネルの非表示領域及び前記表示パネルの外側に引き回されており、前記信号線に接続されるべき予備配線と、前記表示パネルに設けられた複数の接続端子と、第１の接続端子にその入力側が接続されており、前記予備配線にその出力側が接続されるべき、前記表示パネルの外側に位置する増幅器とを備え、前記第１の接続端子を介して一の信号線から前記増幅器に信号を入力すべき表示装置であって、前記予備配線は、分断された第１予備配線部及び第２予備配線部を有し、前記第１予備配線部の一端側に接続されており、他の信号線に接続されるべき接続部と、前記増幅器の出力側に接続されており、前記表示パネルの外側から前記表示パネルの非表示領域に引き回され、第２の接続端子に接続された第１接続線とを備え、前記第１予備配線部の他端側は前記表示パネルの外側から前記表示パネルの非表示領域に引き回され、第３の接続端子に接続されており、前記第２予備配線部は前記表示パネルの外側から前記表示パネルの非表示領域に引き回され、第４の接続端子に接続されており、前記第４の接続端子と、前記第２の接続端子又は第３の接続端子とを接続すべき第２接続線を備えることを特徴とする。【００１１】  本発明に係る表示装置は、前記第２接続線と、前記第１接続線、第１予備配線部及び第２予備配線部とは絶縁膜を介して交差していることを特徴とする。【００１２】  本発明に係る表示装置は、前記第２接続線と、前記第１接続線又は第１予備配線部との接続箇所を識別する標識を備えることを特徴とする。【００１３】  本発明に係る表示装置は、前記第２の接続端子及び第４の接続端子は接続されており、前記第２接続線と、前記第１予備配線部及び第２予備配線部とは絶縁膜を介して交差していることを特徴とする。【００１４】  本発明に係る表示装置の製造方法は、上述したいずれかの表示装置の製造方法であって、前記複数の信号線夫々の切断の有無を検査する工程と、該工程にて前記信号線の切断が検出された場合に、前記第２接続線と、前記第２の接続端子及び第４の接続端子又は第３の接続端子及び第４の接続端子とを接続させる工程とを備えることを特徴とする。【００１５】  本発明に係る表示装置は、表示領域及び該表示領域の周囲に位置する非表示領域を有する表示パネルと、該表示パネルに設けられており、映像信号を伝達する信号線と、前記表示パネルの外側及び前記表示パネルの非表示領域に引き回されており、前記信号線に接続されるべき予備配線と、前記表示パネルの非表示領域に設けられた複数の接続端子と、第１の接続端子にその入力側が接続されており、前記予備配線にその出力側が接続されるべき、前記表示パネルの外側に位置する増幅器とを備え、第１の接続端子を介して前記信号線から前記増幅器に信号を入力すべき表示装置であって、前記増幅器の出力側に接続されており、前記表示パネルの外側から前記表示パネルの非表示領域に引き回され、第２の接続端子に接続された第１接続線と、第３の接続端子に接続されるべき第２接続線とを備え、前記予備配線は第３の接続端子に接続されていることを特徴とする。【００１６】  本発明に係る表示装置は、前記表示パネルの外側に引き回されている第２予備配線を備え、該第２予備配線は第４の接続端子に接続してあり、前記第２接続線は第３の接続端子及び第４の接続端子に接続されるべき線であることを特徴とする。【００１７】  本発明に係る表示装置の製造方法は、上述した表示装置の製造方法であって、前記複数の信号線夫々の切断の有無を検査する工程と、該工程にて前記信号線の切断が検出された場合に、前記第２接続線と、前記第２の接続端子及び第３の接続端子、又は第２の接続端子及び第４の接続端子とを接続させる工程とを備えることを特徴とする。【００１８】  本発明においては、例えば、一の信号線が切断されている場合に、一の信号線と増幅器とを接続し、第２の接続端子及び第４の接続端子と、第２接続線とを接続する。【００１９】  本発明においては、第２接続線と、第２の接続端子、第３の接続端子及び第４の接続端子とのメルト接続を実現する。【００２０】  本発明においては、製造者は標識を確認し、接続すべき箇所を認識する。【００２１】  本発明においては、例えば、他の信号線が切断されている場合に、他の信号線と接続部とを接続し、第３の接続端子及び第４の接続端子と、第２接続線とを接続し、第２の接続端子及び第４の接続端子を切断する。【００２２】  本発明においては、信号線が切断されている場合に、第１の接続端子を介して信号線と増幅器とを接続し、第２接続線と、第２及び第３の接続端子とを接続する。【００２３】  本発明においては、信号線が切断されている場合に、第１の接続端子を介して信号線と増幅器とを接続し、第２接続線を介して、第２の接続端子と、第３又は第４の接続端子とを接続する。
【発明の効果】
【００２４】  本発明に係る表示装置及び表示装置の製造方法においては、例えば、一の信号線が切断されている場合に、一の信号線と増幅器とを第１の接続端子を介して接続し、第２の接続端子及び第４の接続端子と、第２接続線とを接続する。第２の接続端子には第１接続線が接続されており、第１接続線は表示パネルの外側に引き回されている。また第４の接続端子には第２予備配線部が接続されており、第２予備配線部は前記表示パネルの外側に引き回されている。そのため、一の信号線と第１の接続端子との接続箇所から予備配線までの距離を短くし、補修後の配線全体の抵抗を低減させることができる。  また本発明に係る表示装置及び表示装置の製造方法においては、例えば信号線が切断されている場合に、第１の接続端子を介して信号線と増幅器とを接続し、第２接続線と、第２及び第３の接続端子とを接続する。また増幅器の出力側は第２の接続端子に接続されている。第２及び第３の接続端子は予備配線に接続されているので、信号線と第１の接続端子との接続箇所から予備配線までの距離を短くし、補修後の配線全体の抵抗を低減させることができる。
【図面の簡単な説明】
【００２５】
【図１】実施の形態１に係る表示装置の要部を略示する平面図である。
【図２】ソース端子部付近の構成を略示する拡大平面図である。
【図３】第１及び第４ソース端子部に対応するデータ信号線が切断されている場合に、データ信号線を第１中継線及び第２中継線に夫々接続した状態を略示する拡大平面図である。
【図４】実施の形態２に係る表示装置のソース端子部付近の構成を略示する拡大平面図である。
【図５】実施の形態３に係る表示装置のソース端子部付近の構成を略示する拡大平面図である。
【図６】第１及び第４ソース端子部に対応するデータ信号線が切断されている場合に、データ信号線を第１中継線及び第２中継線に夫々接続した状態を略示する拡大平面図である。
【図７】実施の形態４に係る表示装置のソース端子部付近の構成を略示する拡大平面図である。
【図８】第１及び第４ソース端子部に対応するデータ信号線が切断されている場合に、データ信号線を第１中継線及び第２中継線に夫々接続した状態を略示する拡大平面図である。
【発明を実施するための形態】
【００２６】  （実施の形態１）  以下本発明を実施の形態１に係る表示装置を示す図面に基づいて説明する。図１は表示装置の要部を略示する平面図、図２はソース端子部付近の構成を略示する拡大平面図である。
【００２７】  表示装置は、液晶を有する横長矩形の表示パネル１を備え、表示パネル１の中央部は、横長矩形の映像を表示する表示領域２になっている。表示パネル１において、表示領域２の周囲は、横長矩形の額縁形をなし、映像が表示されない非表示領域２ｂとなっている。表示パネル１の短辺夫々（図１における右辺又は左辺）には、フィルム状をなす複数のゲート端子部３、３、・・・、３が縦向きに並設されている。該ゲート端子部３夫々から、走査信号線（図示略）が横方向に延びている。表示領域２には、縦方向に延びた複数のデータ信号線５、５、・・・、５が横方向に並設されている。データ信号線５及び走査信号線は直交しており、表示パネル１にマトリクス状に配されている。
【００２８】  データ信号線５及び走査信号線の交点近傍に薄膜トランジスタ（図示略）と、該薄膜トランジスタにつながる画素電極（図示略）とが設けられている。走査信号線によって薄膜トランジスタがＯＮ／ＯＦＦ制御され、データ信号線５から各画素電極に信号電位が与えられて、液晶の配向状態が変化し、情報が表示される。
【００２９】  表示領域２は、縦割りにされた複数（本実施例においては２４個）の表示ブロック２ａ、２ａ、・・・２ａを有する。表示ブロック２ａ夫々にデータ信号線５が設けられている。なお図１において、データ信号線５の記載を一部省略している。
【００３０】  図２に示すように、表示パネル１の一方の長辺（図１における上辺）の外側には、ソース基板８が設けられている。ソース基板８は表示パネル１の隣に位置し、非表示領域２ｂの外側に位置する。
【００３１】  表示パネル１の周囲に複数の予備配線４０が配置されており、予備配線４０は非表示領域２ｂ又は表示パネル１の外側に設けられている。予備配線４０は、表示パネル１の一方の長辺の中途部から、該長辺に沿って短辺に向けて引き回され、更に短辺に沿って他方の長辺（図１における下辺）に向けて引き回されている。短辺においては、予備配線４０はゲート端子部３に接続されている。予備配線４０は更に表示パネル１の他方の長辺に沿って、該長辺の中央部に向けて引き回されている。データ信号線５の両端部はそれぞれ、表示パネル１の両長辺において、予備配線４０に接続可能に設けられている。
【００３２】  非表示領域２ｂにおいて、表示パネル１の一方の長辺には複数（本実施例においては２４個）のソース端子部４、４、・・・、４が横方向に並設されている。ソース端子部４夫々は表示ブロック２ａ夫々に対応しており、データ信号線５夫々に対応している。ソース端子部４は、横方向に並設された複数の接続端子２０、２０、・・・、２０を備える。
【００３３】  複数の接続端子２０は第１〜第４の接続端子２１〜２４及び増幅器接続端子２７を含む。第１〜第４の接続端子２１〜２４は順に並んでいる。増幅器接続端子２７は第１〜第４の接続端子２１〜２４から離間している。なお第１の接続端子２１は増幅器接続端子として機能している。
【００３４】  ソース端子部４及び表示ブロック２ａの間において、第１中継線３１及び第２中継線３２が表示パネル１の非表示領域２ｂに設けられている。第１中継線３１及び第２中継線３２夫々は四つのソース端子部４、４、４、４に亘って横方向に延びている。以下四つのソース端子部４夫々を第１〜第４ソース端子部１１〜１４と称する。第１〜第４ソース端子部１１〜１４は横方向に順に並んでいる。
【００３５】  第１中継線３１は第１ソース端子部１１及び第３ソース端子部１３において、第１の接続端子２１及び増幅器接続端子２７の入力側に接続している。第２中継線３２は第２ソース端子部１２及び第４ソース端子部１４において、第１の接続端子２１及び増幅器接続端子２７の入力側に接続している。
【００３６】  データ信号線５の一端部は、平面視において第１中継線３１及び第２中継線３２に直交している。データ信号線５と第１中継線３１及び第２中継線３２とは絶縁膜（図示略）を介して積層している。換言すれば、データ信号線５と第１中継線３１及び第２中継線３２とは電気的に接続されていない。データ信号線５の一端部と第１中継線３１又は第２中継線３２との交点にレーザを照射することによって、両者をメルト接続することができる。
【００３７】  なお表示パネル１の他方の長辺部分には、平面視においてデータ信号線５の他端部及び予備配線４０に直交するＬ形の二つの中継線が設けられている。中継線とデータ信号線５の他端部及び予備配線４０とは、電気的に接続されていない。データ信号線５の他端部及び予備配線４０と中継線との交点夫々にレーザを照射することによって、交点夫々をメルト接続させることができる。
【００３８】  四つの表示ブロック２ａ、２ａ、２ａ、２ａに対して二つの予備配線４０、４０が割り当てられており、該二つの予備配線４０はソース基板８に実装されている。以下二つの予備配線４０を第１予備配線４１及び第２予備配線４２と称する。第１予備配線４１及び第２予備配線４２はソース基板８にて横方向に延びている。
【００３９】  第１予備配線４１は、分断された第１予備配線部４１１及び第２予備配線部４１２を備える。第２予備配線４２は、分断された第１′予備配線部４２１及び第２′予備配線部４２２を備える。
【００４０】  表示パネル１及びソース基板８の間にＣＯＦ６(Chip On Film)が設けられており、該ＣＯＦ６に二つの増幅器７、７が実装されている。なおＣＯＦ６は接続端子２０に対応して複数設けられているが、理解を容易にする為に、図２において、ＣＯＦ６は簡略化して記載されている。一方の増幅器７の入力側は増幅器接続端子２７に接続されている。他方の増幅器７の入力側は第１の接続端子２１に接続されている。
【００４１】  第１ソース端子部１１において、増幅器７、７夫々の出力側は、表示パネル１の外側から表示パネル１に引き回された第１接続線６１を介して、第２の接続端子２２に接続されている。第２の接続端子２２に接続された第１接続線６１の端部は第２の接続端子２２から表示領域２側に延びている。
【００４２】  第３ソース端子部１３において、増幅器７、７夫々の出力側は、表示パネル１の外側に引き回された第１予備配線部４１１の一端側に接続されている。第１予備配線部４１１の他端側は、表示パネル１の外側から表示パネル１に引き回され、第１ソース端子部１１の第３の接続端子２３に接続されている。第１予備配線部４１１の他端部は第３の接続端子２３から表示領域２側に延びている。
【００４３】  第２予備配線部４１２の一端側は、表示パネル１の外側から表示パネル１に引き回され、第１ソース端子部１１の第４の接続端子２４に接続されている。第２予備配線部４１２の一端部は第４の接続端子２４から表示領域２側に延びている。第２予備配線部４１２の他端側は、前述したように、表示パネル１の他方の長辺まで引き回されている。
【００４４】  第１ソース端子部１１において、第１接続線６１の端部、第１予備配線部４１１の他端部及び第２予備配線部４１２の一端部に、平面視において直交するように、第２接続線６２が設けられている。第２接続線６２と、第１接続線６１の端部、第１予備配線部４１１の他端部及び第２予備配線部４１２の一端部とは絶縁膜（図示略）を介して積層し、対向している。換言すれば、第２接続線６２と、第１接続線６１の端部、第１予備配線部４１１の他端部及び第２予備配線部４１２とは電気的に接続されていない。第２接続線６２と、第１接続線６１の端部、第１予備配線部４１１の他端部又は第２予備配線部４１２との交点にレーザを照射することによって、両者をメルト接続することができる。
【００４５】  第２ソース端子部１２において、増幅器７、７夫々の出力側は、表示パネル１の外側から表示パネル１に引き回された第１接続線６１を介して、第２の接続端子２２に接続されている。第２の接続端子２２に接続された第１接続線６１の端部は第２の接続端子２２から表示領域２側に延びている。
【００４６】  第４ソース端子部１４において、増幅器７、７夫々の出力側は、表示パネル１の外側に引き回された第１′予備配線部４２１の一端側に接続されている。第１′予備配線部４２１の他端側は、表示パネル１の外側から表示パネル１に引き回され、第２ソース端子部１２の第３の接続端子２３に接続されている。第１′予備配線部４２１の他端部は第３の接続端子２３から表示領域２側に延びている。
【００４７】  第２′予備配線部４２２の一端側は、表示パネル１の外側から表示パネル１に引き回され、第２ソース端子部１２の第４の接続端子２４に接続されている。第２′予備配線部４２２の一端部は第４の接続端子２４から表示領域２側に延びている。第２′予備配線部４２２の他端側は、前述したように、表示パネル１の他方の長辺まで引き回されている。
【００４８】  第２ソース端子部１１において、第１接続線６１の端部、第１′予備配線部４２１の他端部及び第２′予備配線部４２２の一端部に、平面視において直交するように、第２接続線６２が設けられている。第２接続線６２と、第１接続線６１の端部、第１′予備配線部４２１の他端部及び第２′予備配線部４２２とは絶縁膜（図示略）を介して積層し、対向している。換言すれば、第２接続線６２と、第１接続線６１の端部、第１′予備配線部４２１の他端部及び第２′予備配線部４２２とは電気的に接続されていない。第２接続線６２と、第１接続線６１の端部、第１′予備配線部４２１の他端部又は第２′予備配線部４２２との交点にレーザを照射することによって、両者をメルト接続することができる。
【００４９】  ソース端子部４及び第２接続線６２は表示パネル１に形成されている。ソース基板８は表示パネル１の外側に設けられている。予備配線４０と、第１接続線６１と、第２接続線６２とは略同じ材料（例えば銅）によって構成されている。第１接続線６１の表示パネル１に形成されている部分６１ａ、予備配線４０の表示パネル１に形成されている部分４０ａ及び第２接続線６２の膜厚は表示パネル１の外側、例えばソース基板８又はＣＯＦ６に形成されている部分６１ｂ、４０ｂよりも薄い。そのため、ソース端子部４における抵抗値はソース基板８又はＣＯＦ６における抵抗値よりも高い。換言すれば、表示パネル１における抵抗は、表示パネル１の外側における抵抗よりも高い
【００５０】  図３は第１及び第４ソース端子部１１、１４に対応するデータ信号線５、５が切断されている場合に、データ信号線５、５を第１中継線３１及び第２中継線３２に夫々接続した状態を略示する拡大平面図である。なお図３において、二重線は切断箇所Ｃを示し、クロスマークは接続箇所Ｋを示す。またドットはデータ信号線５からの信号が予備配線４０に伝達されている状態を示す。
【００５１】  表示装置に対して、データ信号線５が切断されているか否かの検査が行われ、表示装置が製造される。この検査において、例えば第１及び第４ソース端子部１１、１４に対応するデータ信号線５、５が切断されていることが判明した場合、第１ソース端子部１１に対応するデータ信号線５の一端部と第１中継線３１とをメルト接続する。更に第１ソース端子部１１において、第２接続線６２と、第１接続線６１の端部及び第２予備配線部４１２の一端部とをメルト接続する。
【００５２】  更に表示パネル１の他方の長辺部分において、第１ソース端子部１１に対応するデータ信号線５の他端部及び第２予備配線部４１２の他端部と中継線との交点夫々にレーザを照射することによって、交点夫々をメルト接続する。
【００５３】  また第４ソース端子部１４に対応するデータ信号線５の一端部と第２中継線３２とをメルト接続する。更に第２ソース端子部１２において、第２接続線６２と、第１′予備配線部４２１の他端部及び第２′予備配線部４２２の一端部とをメルト接続する。
【００５４】  更に表示パネル１の他方の長辺部分において、第４ソース端子部１４に対応するデータ信号線５の他端部及び第２′予備配線部４２２の他端部と中継線との交点夫々にレーザを照射することによって、交点夫々をメルト接続する。
【００５５】  第２ソース端子部１２において、第３及び第４の接続端子２３、２４のみを接続することによって、第２′予備配線部４２２に伝達された信号は、第２ソース端子部１２に接続された増幅器７の出力側に入力されない。そのため、前記増幅器７の破損を防止することができる。
【００５６】  なお第１及び第４ソース端子部１１、１４に対応するデータ信号線５が切断されておらず、第２ソース端子部１２に対応するデータ信号線５が切断されている場合には、該データ信号線５の一端部と第１中継線３１とをメルト接続すればよい。この場合、第２ソース端子部１２において、第２接続線６２と、第１接続線６１の端部及び第２予備配線部４１２の一端部とをメルト接続する。更に表示パネル１の他方の長辺部分において、第２ソース端子部１１に対応するデータ信号線５の他端部及び第２予備配線部４１２の他端部と中継線との交点夫々にレーザを照射することによって、交点夫々をメルト接続する。
【００５７】  第１及び第４ソース端子部１１、１４に対応するデータ信号線５が切断されておらず、第３ソース端子部１２に対応するデータ信号線５が切断されている場合には、該データ信号線５の一端部と第２中継線３２とをメルト接続すればよい。この場合、第１ソース端子部１２において、第２接続線６２と、第１予備配線部４１１の他端部及び第２予備配線部４１２の一端部とをメルト接続する。更に表示パネル１の他方の長辺部分において、第３ソース端子部１３に対応するデータ信号線５の他端部及び第２予備配線部４１２の他端部と中継線との交点夫々にレーザを照射することによって、交点夫々をメルト接続する。
【００５８】  実施の形態１に係る表示装置及び表示装置の製造方法にあっては、例えば、第１ソース端子部１１に対応するデータ信号線５が切断されている場合に、データ信号線５と増幅器７とを第１の接続端子２１を介して接続し、第２の接続端子２２及び第４の接続端子２４と、第２接続線６２とを接続する。
【００５９】  第２の接続端子２２には第１接続線６１が接続されており、第１接続線６１は表示パネル１の外側に引き回されている。また接続端子２０の抵抗値は、表示パネル１の外側に引き回された予備配線４０よりも高い。また第４の接続端子２４には第２予備配線部４１２が接続されており、第２予備配線部４１２は表示パネル１の外側に引き回されている。
【００６０】  そのため、データ信号線５と第１中継線３１との接続箇所、換言すればデータ信号線５と第１の接続端子２１との接続箇所から抵抗値の低い予備配線４０までの距離を短くし、補修後の配線全体の抵抗を低減させることができる。
【００６１】  また第２接続線６２と、第１接続線６１、第１予備配線部４１１及び第２予備配線部４１２とが対向しているので、第２接続線６２と、第１接続線６１、第１予備配線部４１１及び第２予備配線部４１２とのメルト接続を実現することができ、第２接続線６２と、第２の接続端子２２、第３の接続端子２３及び第４の接続端子２４とを接続することができる。
【００６２】  （実施の形態２）  以下本発明を実施の形態２に係る表示装置を示す図面に基づいて説明する。図４はソース端子部４付近の構成を略示する拡大平面図である。なお後述する標識を除き、実施の形態２に係る表示装置の構成は実施の形態１と同じである。
【００６３】  第１中継線３１及び第２中継線３２夫々の近傍に、第１中継線３１及び第２中継線３２を識別する「Ａ１」及び「Ａ２」が夫々付されている。
【００６４】  また第１ソース端子部１１において、第２の接続端子２２に接続した第１接続線６１と第２接続線６２との交点に対し、「１−Ａ１」が、第３の接続端子２３に接続した第１予備配線部４１１と第２接続線６２との交点に対し、「３−Ａ１」が矢印と共に付されている。
【００６５】  また第２ソース端子部１２において、第２の接続端子２２に接続した第１接続線６１と第２接続線６２との交点に対し、「２−Ａ２」が、第３の接続端子２３に接続した第１′予備配線部４２１と第２接続線６２との交点に対し、「４−Ａ２」が矢印と共に付されている。
【００６６】  上記「Ｘ−ＡＹ」（Ｘ＝１〜４、Ｙ＝１又は２）形式の標識は、第２接続線６２と、第Ｘソース端子部及び第Ｙ中継線とが接続される部分を示す。例えば、「１−Ａ１」は、第２接続線６２と、第１ソース端子部１１及び第１中継線３１とが接続される部分を示す。なお第１〜第４ソース端子部１１〜１４に、第１〜第４ソース端子部１１〜１４を識別する「端子１」〜「端子４」を夫々付してもよい。
【００６７】  実施の形態２に係る表示装置及び表示装置の製造方法にあっては、標識を設けることによって、製造者は標識を確認し、接続すべき箇所を容易に認識することができる。そのため表示装置の製造効率を高めることができる。
【００６８】  （実施の形態３）  以下本発明を実施の形態３に係る表示装置を示す図面に基づいて説明する。図５はソース端子部４付近の構成を略示する拡大平面図である。
【００６９】  第１ソース端子部１１において、第２の接続端子２２に接続された第１接続線６１の端部と、第４の接続端子２４に接続された第２予備配線部４１２の一端部とは接続されている。また第２接続線６２は、平面視において、第２予備配線部４１２の一端部及び第３の接続端子２３に接続された第１予備配線部４１１の他端部に直交するように設けられている。第２接続線６２と、第２予備配線部４１２の一端部及び第１予備配線部４１１の他端部とは、絶縁膜を介して対向し、電気的に接続されていない。
【００７０】  第２ソース端子部１２において、第２の接続端子２２に接続された第１接続線６１の端部と、第４の接続端子２４に接続された第２′予備配線部４２２の一端部とは接続されている。また第２接続線６２は、平面視において、第２′予備配線部４２２の一端部及び第３の接続端子２３に接続された第１′予備配線部４２１の他端部に直交するように設けられている。第２接続線６２と、第２′予備配線部４２２の一端部及び第１′予備配線部４２１の他端部とは、絶縁膜を介して対向し、電気的に接続されていない。
【００７１】  図６は第１及び第４ソース端子部１１、１４に対応するデータ信号線５、５が切断されている場合に、データ信号線５、５を第１中継線３１及び第２中継線３２に夫々接続した状態を略示する拡大平面図である。
【００７２】  表示装置に対して、データ信号線５が切断されているか否かの検査が行われ、表示装置が製造される。この検査において、例えば第１及び第４ソース端子部１１、１４に対応するデータ信号線５、５が切断されていることが判明した場合、第１ソース端子部１１に対応するデータ信号線５の一端部と第１中継線３１とをメルト接続する。
【００７３】  更に表示パネル１の他方の長辺部分において、第１ソース端子部１１に対応するデータ信号線５の他端部及び第２予備配線部４１２の他端部と中継線との交点夫々にレーザを照射することによって、交点夫々をメルト接続する。
【００７４】  また第４ソース端子部１４に対応するデータ信号線５の一端部と第２中継線３２とをメルト接続する。更に第２ソース端子部１２において、第２接続線６２と、第１′予備配線部４２１の他端部及び第２′予備配線部４２２の一端部とをメルト接続する。また第１接続線６１の端部及び第２予備配線部４１２の一端部を切断する。換言すれば、第２の接続端子２２及び第４の接続端子２４を切断する。
【００７５】  更に表示パネル１の他方の長辺部分において、第４ソース端子部１４に対応するデータ信号線５の他端部及び第２′予備配線部４２２の他端部と中継線との交点夫々にレーザを照射することによって、交点夫々をメルト接続する。
【００７６】  実施の形態３に係る表示装置及び表示装置の製造方法にあっては、例えば第４ソース端子部１４に対応するデータ信号線５が切断されている場合に、該データ信号線５と第４ソース端子部１４とを接続する。また第２ソース端子部１２において、第２接続線６２と、第３及び第４の接続端子２３、２４とを接続し、第２の接続端子２２及び第４の接続端子２４を切断する。
【００７７】  なお第３ソース端子部１４に対応するデータ信号線５が切断されている場合も同様に、第１ソース端子部１１において、接続及び切断を行う。
【００７８】  第１ソース端子部１１又は第２ソース端子部１２に対応するデータ信号線５が切断されている場合には、該データ信号線５と第１中継線３１とを接続するだけで、予備配線４０に直ちに接続され、短時間で接続作業を終えることができる。
【００７９】  実施の形態３に係る表示装置の構成の内、実施の形態１又は２と同様な構成については同じ符号を付し、その詳細な説明を省略する。
【００８０】  （実施の形態４）  以下本発明を実施の形態４に係る表示装置を示す図面に基づいて説明する。図７はソース端子部４付近の構成を略示する拡大平面図である。
【００８１】  第１及び第２予備配線４１、４２はソース基板８に設けられており、表示パネル１の外側に位置する。第１予備配線４１は第１配線７１の一端側に接続されている。第１配線７１の他端側は第３の接続端子２３に接続されている。第１配線７１の他端部は、第３の接続端子２３から表示領域２側に延びている。
【００８２】  第２予備配線４２は第２配線７２の一端側に接続されている。第２配線７２の他端側は第４の接続端子２４に接続されている。第２配線７２の他端部は、第４の接続端子２４から表示領域２側に延びている。
【００８３】  第２接続線６２は、平面視において、第１接続線６１の端部、第１配線７１の他端部及び第２配線７２の他端部に直交するように設けられている。第２接続線６２と、第１接続線６１の端部、第１配線７１の他端部及び第２配線７２の他端部とは絶縁膜を介して積層され、対向している。すなわち、第２接続線６２と、第１接続線６１の端部、第１配線７１の他端部及び第２配線７２の他端部とは電気的に接続されていない。
【００８４】  図８は第１及び第４ソース端子部１１、１４に対応するデータ信号線５、５が切断されている場合に、データ信号線５、５を第１中継線３１及び第２中継線３２に夫々接続した状態を略示する拡大平面図である。
【００８５】  表示装置に対して、データ信号線５が切断されているか否かの検査が行われ、表示装置が製造される。この検査において、例えば第１及び第４ソース端子部１１、１４に対応するデータ信号線５、５が切断されていることが判明した場合、第１ソース端子部１１に対応するデータ信号線５の一端部と第１中継線３１とをメルト接続する。
【００８６】  また第１ソース端子部１１において、第２接続線６２と、第１接続線６１の端部及び第２配線７２の他端部とをメルト接続する。更に表示パネル１の他方の長辺部分において、第１ソース端子部１１に対応するデータ信号線５の他端部及び第２予備配線４２と中継線との交点夫々にレーザを照射することによって、交点夫々をメルト接続する。
【００８７】  第４ソース端子部１４に対応するデータ信号線５の一端部と第２中継線３２とをメルト接続する。また第４ソース端子部１４において、第２接続線６２と、第１接続線６１の端部及び第１配線７１の他端部とをメルト接続する。更に表示パネル１の他方の長辺部分において、第４ソース端子部１４に対応するデータ信号線５の他端部及び第１予備配線４２と中継線との交点夫々にレーザを照射することによって、交点夫々をメルト接続する。
【００８８】  なお第２又は第３ソース端子部１２、１３に対応するデータ信号線５が切断されている場合には、同様に、第２接続線６２と、第１接続線６１の端部、第１配線７１の他端部又は第２配線７２の他端部との接続を行う。
【００８９】  実施の形態４に係る表示装置及び表示装置の製造方法にあっては、信号線５が切断されている場合に、例えば第２接続線６２と、第２及び第３の接続端子２２、２３とを接続する。
【００９０】  増幅器７の出力側は第２の接続端子２２に接続されている。また接続端子２０の抵抗値は、予備配線４０よりも高い。第２及び第３の接続端子２２、２３は予備配線４０に接続されているので、信号線５と第２中継線３２との接続箇所、すなわち、信号線５と第１の接続端子２１との接続箇所から抵抗値の低い予備配線４０までの距離を短くし、補修後の配線全体の抵抗を低減させることができる。
【００９１】  また信号線５が切断されている場合に、例えば第２接続線６２と、第２及び第４の接続端子２２、２４とを接続する。
【００９２】  増幅器７の出力側は第２の接続端子２２に接続されている。また接続端子２０の抵抗値は、予備配線４０よりも高い。第２及び第４の接続端子２２、２４は第２予備配線４２に接続されているので、信号線５と、第２中継線３１との接続箇所、すなわち、信号線５と第１の接続端子２１との接続箇所から抵抗値の低い第２予備配線４２までの距離を短くし、補修後の配線全体の抵抗を低減させることができる。 
【００９３】  実施の形態４に係る表示装置の構成の内、実施の形態１〜３と同様な構成については同じ符号を付し、その詳細な説明を省略する。
【００９４】  なお実施の形態２〜４においても、実施の形態１と同様に、表示パネル１における予備配線の抵抗は、表示パネル１の外側における予備配線の抵抗よりも高い。
【００９５】  今回開示した実施の形態は、全ての点で例示であって、制限的なものではないと考えられるべきである。各実施例にて記載されている技術的特徴は互いに組み合わせることができ、本発明の範囲は、請求の範囲内での全ての変更及び請求の範囲と均等の範囲が含まれることが意図される。
【符号の説明】
【００９６】  １  表示パネル  ４  ソース端子部（接続部）  ５  データ信号線（信号線）  ７  増幅器  ８  ソース基板  ２０  接続端子  ２１  第１の接続端子  ２２  第２の接続端子  ２３  第３の接続端子  ２４  第４の接続端子  ４０  予備配線  ４１  第１予備配線  ４１１  第１予備配線部  ４１２  第２予備配線部  ４２  第２予備配線  ４２１  第１′予備配線部  ４２２  第２′予備配線部  ６１  第１接続線  ６２  第２接続線
【図１】
2016103370.tif 000003
【図２】
2016103370.tif 000004
【図３】
2016103370.tif 000005
【図４】
2016103370.tif 000006
【図５】
2016103370.tif 000007
【図６】
2016103370.tif 000008
【図７】
2016103370.tif 000009
【図８】
2016103370.tif 000010
【手続補正書】
【提出日】平成29年6月9日(2017.6.9)
【手続補正１】
【補正対象書類名】明細書
【補正対象項目名】００４８
【補正方法】変更
【補正の内容】
【００４８】
第２ソース端子部１２において、第１接続線６１の端部、第１′予備配線部４２１の他端部及び第２′予備配線部４２２の一端部に、平面視において直交するように、第２接続線６２が設けられている。第２接続線６２と、第１接続線６１の端部、第１′予備配線部４２１の他端部及び第２′予備配線部４２２とは絶縁膜（図示略）を介して積層し、対向している。換言すれば、第２接続線６２と、第１接続線６１の端部、第１′予備配線部４２１の他端部及び第２′予備配線部４２２とは電気的に接続されていない。第２接続線６２と、第１接続線６１の端部、第１′予備配線部４２１の他端部又は第２′予備配線部４２２との交点にレーザを照射することによって、両者をメルト接続することができる。
【手続補正２】
【補正対象書類名】明細書
【補正対象項目名】００５６
【補正方法】変更
【補正の内容】
【００５６】
なお第１及び第４ソース端子部１１、１４に対応するデータ信号線５が切断されておらず、第２ソース端子部１２に対応するデータ信号線５が切断されている場合には、該データ信号線５の一端部と第２中継線３２とをメルト接続すればよい。この場合、第２ソース端子部１２において、第２接続線６２と、第１接続線６１の端部及び第２′予備配線部４２２の一端部とをメルト接続する。更に表示パネル１の他方の長辺部分において、第２ソース端子部１２に対応するデータ信号線５の他端部及び第２予備配線部４１２の他端部と中継線との交点夫々にレーザを照射することによって、交点夫々をメルト接続する。
【手続補正３】
【補正対象書類名】明細書
【補正対象項目名】００５７
【補正方法】変更
【補正の内容】
【００５７】
第１及び第４ソース端子部１１、１４に対応するデータ信号線５が切断されておらず、第３ソース端子部１３に対応するデータ信号線５が切断されている場合には、該データ信号線５の一端部と第１中継線３１とをメルト接続すればよい。この場合、第１ソース端子部１１において、第２接続線６２と、第１予備配線部４１１の他端部及び第２予備配線部４１２の一端部とをメルト接続する。更に表示パネル１の他方の長辺部分において、第３ソース端子部１３に対応するデータ信号線５の他端部及び第２予備配線部４１２の他端部と中継線との交点夫々にレーザを照射することによって、交点夫々をメルト接続する。
【手続補正４】
【補正対象書類名】明細書
【補正対象項目名】００７７
【補正方法】変更
【補正の内容】
【００７７】
なお第３ソース端子部１３に対応するデータ信号線５が切断されている場合も同様に、第１ソース端子部１１において、接続及び切断を行う。
【手続補正５】
【補正対象書類名】明細書
【補正対象項目名】００７８
【補正方法】変更
【補正の内容】
【００７８】
第１ソース端子部１１又は第２ソース端子部１２に対応するデータ信号線５が切断されている場合には、該データ信号線５と第１中継線３１又は第２中継線３２とを接続するだけで、予備配線４０に直ちに接続され、短時間で接続作業を終えることができる。
【手続補正６】
【補正対象書類名】明細書
【補正対象項目名】００８１
【補正方法】変更
【補正の内容】
【００８１】
第１及び第２予備配線４１、４２はソース基板８に設けられており、表示パネル１の外側に位置する。第１予備配線４１は第２配線７２の一端側に接続されている。第２配線７２の他端側は第３の接続端子２３に接続されている。第２配線７２の他端部は、第３の接続端子２３から表示領域２側に延びている。
【手続補正７】
【補正対象書類名】明細書
【補正対象項目名】００８２
【補正方法】変更
【補正の内容】
【００８２】
第２予備配線４２は第１配線７１の一端側に接続されている。第１配線７１の他端側は第４の接続端子２４に接続されている。第１配線７１の他端部は、第４の接続端子２４から表示領域２側に延びている。
【手続補正８】
【補正対象書類名】明細書
【補正対象項目名】００８６
【補正方法】変更
【補正の内容】
【００８６】
また第１ソース端子部１１において、第２接続線６２と、第１接続線６１の端部及び第１配線７１の他端部とをメルト接続する。更に表示パネル１の他方の長辺部分において、第１ソース端子部１１に対応するデータ信号線５の他端部及び第２予備配線４２と中継線との交点夫々にレーザを照射することによって、交点夫々をメルト接続する。
【手続補正９】
【補正対象書類名】明細書
【補正対象項目名】００８７
【補正方法】変更
【補正の内容】
【００８７】
第４ソース端子部１４に対応するデータ信号線５の一端部と第２中継線３２とをメルト接続する。また第４ソース端子部１４において、第２接続線６２と、第１接続線６１の端部及び第２配線７２の他端部とをメルト接続する。更に表示パネル１の他方の長辺部分において、第４ソース端子部１４に対応するデータ信号線５の他端部及び第１予備配線４１と中継線との交点夫々にレーザを照射することによって、交点夫々をメルト接続する。
【手続補正１０】
【補正対象書類名】明細書
【補正対象項目名】００９２
【補正方法】変更
【補正の内容】
【００９２】
増幅器７の出力側は第２の接続端子２２に接続されている。また接続端子２０の抵抗値は、予備配線４０よりも高い。第２及び第４の接続端子２２、２４は第２予備配線４２に接続されているので、信号線５と、第１中継線３１との接続箇所、すなわち、信号線５と第１の接続端子２１との接続箇所から抵抗値の低い第２予備配線４２までの距離を短くし、補修後の配線全体の抵抗を低減させることができる。
【手続補正１１】
【補正対象書類名】特許請求の範囲
【補正対象項目名】全文
【補正方法】変更
【補正の内容】
【特許請求の範囲】
【請求項１】
表示領域及び該表示領域の周囲に位置する非表示領域を有する表示パネルと、該表示パネルに設けられており、映像信号を伝達する複数の信号線と、前記表示パネルの非表示領域及び前記表示パネルの外側に引き回されており、前記信号線に接続されるべき予備配線と、前記表示パネルに設けられた複数の接続端子と、第１の接続端子にその入力側が接続されており、前記予備配線にその出力側が接続されるべき、前記表示パネルの外側に位置する増幅器とを備え、前記第１の接続端子を介して一の信号線から前記増幅器に信号を入力すべき表示装置であって、
前記予備配線は、分断された第１予備配線部及び第２予備配線部を有し、
前記第１予備配線部の一端側に接続されており、他の信号線に接続されるべき接続部と、
前記増幅器の出力側に接続されており、前記表示パネルの外側から前記表示パネルの非表示領域に引き回され、第２の接続端子に接続された第１接続線と
を備え、
前記第１予備配線部の他端側は前記表示パネルの外側から前記表示パネルの非表示領域に引き回され、第３の接続端子に接続されており、
前記第２予備配線部は前記表示パネルの外側から前記表示パネルの非表示領域に引き回され、第４の接続端子に接続されており、
前記第４の接続端子と、前記第２の接続端子又は第３の接続端子とを接続すべき第２接続線を備えること
を特徴とする表示装置。
【請求項２】
前記第２接続線と、前記第１接続線、第１予備配線部及び第２予備配線部とは絶縁膜を介して交差していること
を特徴とする請求項１に記載の表示装置。
【請求項３】
前記第２接続線と、前記第１接続線又は第１予備配線部との接続箇所を識別する標識を備えること
を特徴とする請求項２に記載の表示装置。
【請求項４】
前記第２の接続端子及び第４の接続端子は接続されており、
前記第２接続線と、前記第１予備配線部及び第２予備配線部とは絶縁膜を介して交差していること
を特徴とする請求項１に記載の表示装置。
【請求項５】
請求項１から４のいずれか一つに記載の表示装置の製造方法であって、
前記複数の信号線夫々の切断の有無を検査する工程と、
該工程にて前記信号線の切断が検出された場合に、前記第２接続線と、前記第２の接続端子及び第４の接続端子又は第３の接続端子及び第４の接続端子とを接続させる工程と
を備えることを特徴とする表示装置の製造方法。
【請求項６】
表示領域及び該表示領域の周囲に位置する非表示領域を有する表示パネルと、該表示パネルに設けられており、映像信号を伝達する信号線と、前記表示パネルの外側及び前記表示パネルの非表示領域に引き回されており、前記信号線に接続されるべき予備配線と、前記表示パネルの非表示領域に設けられた複数の接続部と、該複数の接続部それぞれにその入力側が接続されており、前記予備配線にその出力側が接続されるべき、前記表示パネルの外側に位置する複数の増幅器とを備え、前記接続部は第１の接続端子、第２の接続端子及び第３の接続端子を備え、前記第１の接続端子を介して前記信号線から前記増幅器に信号を入力すべき表示装置であって、
前記複数の接続部それぞれの第１の接続端子に接続されており、前記信号線と複数の増幅器それぞれの入力側とを中継する中継線と、
前記増幅器の出力側に接続されており、前記表示パネルの外側から前記表示パネルの非表示領域に引き回され、前記第２の接続端子に接続された第１接続線と、
前記第２の接続端子及び第３の接続端子に接続されるべき第２接続線と
を備え、
前記予備配線は前記複数の接続部それぞれの第３の接続端子に接続されていること
を特徴とする表示装置。
【請求項７】
前記表示パネルの外側に引き回されている第２予備配線を備え、
前記接続部は第４の接続端子を更に備え、
前記第２予備配線は前記第４の接続端子に接続してあり、
前記第２接続線は前記第２の接続端子、第３の接続端子及び第４の接続端子に接続されるべき線であること
を特徴とする請求項６に記載の表示装置。
【請求項８】
請求項７に記載の表示装置の製造方法であって、
前記複数の信号線夫々の切断の有無を検査する工程と、
該工程にて前記信号線の切断が検出された場合に、前記第２接続線と、前記第２の接続端子及び第３の接続端子、又は第２の接続端子及び第４の接続端子とを接続させる工程と
を備えることを特徴とする表示装置の製造方法。
【国際調査報告】
2016103370.tif 000011
2016103370.tif 000012
2016103370.tif 000013
2016103370.tif 000014